【事件の表示】
　平成１０年特許願第２００５３７号「遊技機」拒絶査定に対する審判事件［平成１１年　３月１６日出願公開、特開平１１−　７０２２８］について、次のとおり審決する。
【結　論】
　本件審判の請求は、成り立たない。
【理　由】
１，手続きの経緯・本願発明
　本願は、平成３年７月１５日に出願した特願平３−１７４２１２号の一部を平成１０年７月１５日に新たな特許出願としたものであって、その請求項１乃至５に係る発明は、平成１４年８月１５日付けで補正された明細書の記載からみて、本願の特許請求の範囲の請求項１乃至５に記載されたとおりのものと認められるところ、その請求項１に記載された発明（以下「本願発明」という）は次のとおりのものである。
「複数種類の識別情報を可変表示可能な可変表示装置を含み、
該可変表示装置の表示結果が予め定められた特定の識別情報になったときに遊技者にとって有利な遊技状態に制御される遊技機であって、
　遊技に用いられる遊技玉が入賞可能な始動入賞口と、
　該始動入賞口に前記遊技玉が入賞したことを検出する始動入賞検出器と、
　前記可変表示装置において、遊技機の電源投入時においては、前記複数種類の識別情報のうちの前記特定の識別情報以外の識別情報を停止表示させ、前記始動入賞検出器により前記始動入賞口へ前記遊技玉が入賞したことが検出されたときに前記識別情報の可変表示を開始させる表示制御手段とを備え、
　前記表示制御手段は、
　前記可変表示装置において、前記識別情報と前記複数種類の識別情報とは異なる装飾画像とを同一の表示画面に表示させる制御を行ない、電源投入時においては前記特定の識別情報以外の識別情報とともに前記装飾画像を表示させ、前記可変表示の停止後にも表示結果としての前記識別情報とともに前記装飾画像を表示させることを特徴とする、遊技機。」
　
２，引用例に記載された発明及び本願発明との比較・検討
　原査定の拒絶理由に引用された特開平２−２０９１７９号公報（以下「引用例」という）における
　公報第１頁右下欄第４−６行には「本発明は所定条件が満足されたとき、入賞確率が所定時間増大するパチンコ機の可変入賞球装置の改良に関する。」と、
　公報第２頁右下欄第７−８行には「発射球が始動入賞口１１，１１，１１・・・に入賞した場合・・・」と、
　公報第２頁右下欄第１３−１９行には「可変入賞球装置１は遊技盤３に打ち出された発射球を一時的に収容する収容部１３と、収容部１３に発射球が流入可能な流入口１４と、流入口１４を開閉する開閉手段１５と、開閉手段１５に機械的に連動可能に設けられた誘導手段１６と、誘導手段１６を駆動する駆動手段１７とを主構成としている。」と、
　公報第３頁左上欄第３−１０行には「収容部１３は可変入賞球装置１の上記枠体によって形成され、収容部１３の底部２０には大入賞口２１と普通入賞口４９，４９とが設けてある。そして、収容部１３に入賞し（取り込まれ）た全ての発射球、いいかえれば、普通入賞口４９または大入賞口２１に入賞した発射球に対しては、一般入賞処理として、たとえば１３個の賞品球が払い出される。」と、
　公報第４頁左上欄第１０行−右上欄第５行には「誘導手段１６が第１位置にあるとき・・・流入口１４から流入した発射球が収容部１３内に誘導されまたは滞留することはない。・・・これに対し、誘導手段１６が第２位置にあるとき、遊技盤３の上方から落下する発射球は、可変入賞球装置１から突出した一端辺に衝突し易くなり、衝突した発射球は前記板状体に形成された斜面、すなわち誘導路３０によって収容部１３内に誘導される。」と、
　公報第４頁右下欄第１６−１８行には「駆動手段１７は誘導手段１６を第１位置および第２位置間に移動させるもので、前記制御回路から発生される駆動信号によって制御される。」と、
　公報第５頁右上欄第９−２０行には「駆動手段１７は、前記駆動信号の発生に基づいてソレノイド３１を励磁させ、誘導手段１６を収容部１３内に摺動させる。この駆動信号は可変表示装置１２の表示内容（後述）に応じて前記制御回路から発生される。可変表示装置１２は始動入賞口１１への入賞に応じて作動し、作動結果に基いて可変入賞球装置１を駆動するためのものである。可変表示装置１２には６（複数）桁の７ｓｅｇ（セグメント）のＬＥＤからなる発光表示素子４３が備えてあり、発光表示素子４３は予め定められた複数種の図柄を遊技者に発光表示する」と、
　公報第５頁左下欄第５−１６行には「可変表示装置１２は前記制御回路によって制御され、各始動入賞口１１，１１，１１への入賞に基いて各桁の発光表示素子４３を所定時間変動表示させたのち、予め格納された手順に基いて、任意の図柄を各桁の発光表示素子４３により停止表示させる。そして、発光表示素子４３に停止表示された図柄が特定の組み合せであるとき、前記制御回路は駆動信号を発生させる大役処理を施す。上述の特定の組み合せは、発光表示素子４３が図柄を所定時間変動表示させたのち、停止表示された６桁のうち、３桁ないし６桁の図柄が同一である場合に定める。」と、
　公報第６頁左下欄第２−９行には「電源投入時には図柄を発光表示素子４３に表示させるデモ用タイマ（図示省略）へのデータセットを行う。このデータセットが完了すると、発光表示素子４３は上記デモとして、上列左側から右側にかけて「０ＨないしＦＨ」を順次表示したのち、下列左側から右側にかけて同様に図柄を１図柄につき１６ｍ／秒間の割合で、暗く変動表示させる」と、
　公報第６頁左下欄第１８行−右下欄第２行には、「始動入賞口１１に設けられた近接センサ２２が発射球を検知した場合、前記制御回路は始動数表示部材４７の点灯数を検知したのち、暗く変動表示させている全ての発光表示素子４３を明るく変動表示させる」と、
　公報第７頁右上欄第８−１６行には「始動入賞口１１に設けられた近接センサ２２が発射球を検知した時点から基本時間、上列左の発光表示素子４３の場合には５秒間、が経過した時点で発生した乱数をランダム時間（たとえば、０〜６４ｍｓ）に定め、固定時間（０．２秒間）にそのランダム時間を加えた時間が経過した時点で，図柄の明るい変動表示を停止させ、その時点での図柄を明るく停止表示する。」と、
　公報第８頁左上欄第１６行−右上欄第７行には「大役処理が施される場合には、ｓ１１における図柄が明るく停止表示されている状態をさらに６秒間継続させたのち・・・前記制御回路は駆動手段１７を作動させると同時に、前記大役タイマをスタートさせる。これにより、前記制御回路は駆動信号を発生させるので、開閉手段１５，１５が誘導手段１６に連動して流入口１４は徐々に開放される。したがって、誘導手段１６および開閉手段１５の両方に駆動手段１７を独立に設けることなく流入口１４を開放でき、発射球は誘導手段１６を経て可変入賞球装置１に取込まれる。」と、
　公報第１０頁右下欄第２行−第１１頁左上欄第２０行には「各桁の発光表示素子４３に明るく停止表示されている図柄のうち、『７』図柄が３桁以上あった場合には、s33で大役モードがセットされる一方、『７』図柄が３桁未満であった場合には、s34ではハズレ処理として役終了モードがセットされる。・・・すなわち、第１位置にある誘導手段１６は底部２０を同図中、左方向に摺動させられ第２位置に移動する。この移動に伴い流入口１４を閉鎖している開閉手段１５，１５は、誘導手段１６によって連動駆動され、開閉軸２４，２４を中心に回動させられるので、流入口１４は徐々に開放される。・・・さらにまた、流入口１４が徐々に開放されたとき、誘導手段１６は第２位置を取るので、可変入賞球装置１から端部をガラス板１８方向に突出させることになり、発射球は遊技盤３から突出した端部に衝突して、流入口１４を経て収容部１３に誘導される。・・・ついで、誘導された発射球は誘導手段１６の前記傾斜により、大入賞口（現大役処理の延長処理）２１または誘導手段１６の左右方向（一般入賞処理）に振分けられる。」と記載されている。
　
　そして、これらの記載と図面によれば、引用例には、以下の発明が記載されていると認められる。
　「複数種の図柄を変動表示可能な可変表示装置を含み、該可変表示装置の停止表示された図柄のうち、『７』図柄が３桁以上あった場合には入賞確率が増大するパチンコ機であって、
　発射球が入賞する始動入賞口と、前記発射球を検知する始動入賞口に設けられた近接センサと、
　前記可変表示装置において、パチンコ機の電源投入時においては、上列左側から右側にかけて「０ＨないしＦＨ」を順次表示したのち、下列左側から右側にかけて図柄を暗く変動表示させ、始動入賞口への入賞に基いて前記図柄の変動表示をさせる制御手段とを備え、
　前記制御手段は、
　前記可変表示装置において、複数種の図柄を表示させる制御を行ない、電源投入時には上列左側から右側にかけて「０ＨないしＦＨ」を順次表示したのち、下列左側から右側にかけて図柄を暗く変動表示させ、前記変動表示の停止後にも前記図柄を表示させる、パチンコ機。」（以下「引用発明」という）
　
　本願発明と引用発明とを比較する。
引用発明に示された「図柄」、「可変表示装置」、「発射球」、「始動入賞口」、「近接センサ」、「パチンコ機」は、本願発明の「識別情報」、「可変表示装置」、「遊技玉」、「始動入賞口」、「始動入賞検出器」、「遊技機」にそれぞれ相当するから、両者の一致点及び相違点は次のとおりである。
　
　一致点
　「複数種類の識別情報を可変表示可能な可変表示装置を含み、該可変表示装置の表示結果が予め定められた特定の識別情報になったときに遊技者にとって有利な遊技状態に制御される遊技機であって、
　遊技に用いられる遊技玉が入賞可能な始動入賞口と、
　該始動入賞口に前記遊技玉が入賞したことを検出する始動入賞検出器と、
　前記可変表示装置において、遊技機の電源投入時においては、識別情報を表示させ、前記始動入賞検出器により前記始動入賞口へ前記遊技玉が入賞したことが検出されたときに前記識別情報の可変表示を開始させる表示制御手段を備え、
　前記表示制御手段は、
　前記可変表示装置において、電源投入時においては、識別情報を表示させ、前記可変表示の停止後にも表示結果としての前記識別情報を表示させる、
遊技機。」
　
　相違点
　（Ａ）遊技機の電源投入時における表示が、本願発明においては、特定の識別情報以外の識別情報が停止表示されるのに対し、引用発明では、識別情報が変動表示される点
　（Ｂ）本願発明では、識別情報と前記複数種類の識別情報とは異なる装飾画像とが同一の表示画面に表示され、電源投入時には特定の識別情報以外の識別情報とともに前記装飾画像を表示させ、可変表示の停止後に前記識別情報とともに前記装飾画像が表示される構成であるのに対し、引用発明では、電源投入時及び可変表示の停止後にそれぞれ識別情報を表示させる構成である点
　
　そこで、上記相違点について検討する。
相違点（Ａ）について
　遊技機の電源投入時に、特定の識別情報以外の識別情報を表示させるものは、例えば特開昭５９−２００６７４号公報（公報第３頁右上欄第７行−右下欄第１１行には、電源投入時にＬＥＤ３ａ〜３ｄが「７」を表示しない旨の記載がされている。また第１図参照）、特開平１−２４４７７５号公報（公報第３頁左上欄第２０行−右上欄第３行及び第２３頁左下欄第１２−１７行には、電源投入時に権利を発生させない数字を表示する旨の記載がされている。また第１−２図参照）のように周知・慣用であり、また遊技機の電源投入時に、情報が停止表示されるものは、例えば特開平２−２７１８８６号公報（公報第２頁右下欄第１８行−第３頁左上欄第１行及び公報第９頁右上欄第２０行−左下欄第３行には、電源投入時にランダムな数字が停止表示されることが記載されている。また、第１，３図を参照）、特開平２−３０９９８５号公報（公報第３頁右上欄第１６行−左下欄第１行及び同頁左下欄第１７−１９行並びに同頁右下欄第２−７行の記載によれば、電源投入時に数字が停止表示されることが記載されている。また、第１−２図を参照）のように周知・慣用であるから、遊技機の電源投入時に、特定の識別情報以外の識別情報を停止表示させる本願発明は、これらの周知・慣用技術に基づいて当業者が容易になし得ることである。
　
相違点（Ｂ）について
　パチンコ機のような遊技機において、識別情報と前記複数種類の識別情報とは異なる装飾情報とを同一の表示画面に表示させるものは、例えば実願昭６３−１６２３４３号（実開平２−８２３８４号）のマイクロフィルムのように周知・慣用であり（「「０」〜「９」の数字やアルファベット」、「装飾効果を高めるだけではない様々な情報」は、「複数種類の識別情報」、「識別情報とは異なる複数種類の装飾情報」に相当する。また、図面を参照）、またパチンコ機のような遊技機の表示画面に画像を表示することは、周知・慣用であるから（例えば実願昭５９−１６２３３０号（実開昭６１−７７０７８号）のマイクロフィルム及び特開平２−１４２５８４号公報参照）、上記の周知・慣用技術に基づいて、本願発明の「識別情報と前記複数種類の識別情報とは異なる装飾画像とが同一の表示画面に表示され、識別情報とともに前記装飾画像を表示させ、可変表示の停止後に前記識別情報とともに前記装飾画像が表示される」という構成とすることは当業者が容易になし得ることである。
　そして、電源投入時に特定の識別情報以外の識別情報を表示することは、上記相違点（Ａ）について検討したとおりであるから、相違点（Ｂ）に記載した本願発明の構成とすることは当業者が容易になし得ることである。
　
３，むすび
　したがって、本願の請求項１に係る発明は引用文献に記載された発明及び周知・慣用技術に基づいて当業者が容易になし得たものであるから、特許法第２９条第２項の規定により特許を受けることができない。
　
　よって、結論のとおり審決する。